(57)【要約】      （修正有）【課題】コンパクトな外形でありながら、削りくず収納部の容積を大きくして削りくずを取り出す頻度を減らすことが可能で、且つ、削りくずを取り出す際にこぼれにくい縦型の電動鉛筆削りを提供する。【解決手段】上面部に鉛筆を挿入する挿入孔１ａを有し、挿入孔に略鉛直方向に鉛筆を挿入する電池式の電動鉛筆削りであって、上面部の下方に固定された駆動部３と、上面部の下方に固定され、駆動部により駆動される切削部４と、上面部の下方に着脱可能に固定されたカップ状の削りくず収納部２とを備え、上面部と削りくず収納部とは、回転スクリュー式、または回転マウント式の着脱可能な固定機構により固定されていることを特徴とする。【選択図】図３
0003199162.tif 000002
【実用新案登録請求の範囲】
【請求項１】
上面部に鉛筆を挿入する挿入孔を有し、上記挿入孔に略鉛直方向に鉛筆を挿入する電池式の電動鉛筆削りであって、
前記上面部の下方に固定された駆動部と、
前記上面部の下方に固定され、前記駆動部により駆動される切削部と、
前記上面部の下方に着脱可能に固定されたカップ状の削りくず収納部と、
を備え、
前記上面部と前記削りくず収納部とは、回転スクリュー式、または回転マウント式の着脱可能な固定機構により固定されている
ことを特徴とする電動鉛筆削り。
【請求項２】
上面部に鉛筆を挿入する挿入孔を有し、上記挿入孔に略鉛直方向に鉛筆を挿入する電池式の電動鉛筆削りであって、
前記上面部の下方に固定された駆動部と、
前記上面部の下方に固定され、前記駆動部により駆動される切削部と、
前記上面部の下方に着脱可能に固定されたカップ状の削りくず収納部と、
を備え、
前記削りくず収納部は、前記駆動部および前記切削部の下方に削りくずを収納する空間を有し、
前記削りくず収納部の底部周囲近傍内壁は、下方に行くにしたがって内側に閉じたスロープ形状を有している
ことを特徴とする電動鉛筆削り。
【請求項３】
前記駆動部および前記切削部の周囲全体に、削りくずを収納する空間をさらに有する
ことを特徴とする請求項２に記載の電動鉛筆削り。
【請求項４】
外形が略円筒形状である
ことを特徴とする請求項１から３のいずれかに記載の電動鉛筆削り。
【請求項５】
前記削りくず収納部は、透明な材質で構成されている
ことを特徴とする請求項１から４のいずれかに記載の電動鉛筆削り。
【考案の詳細な説明】
【技術分野】
【０００１】
本考案は、電池式の電動鉛筆削りに関するものであり、特に縦型の電動鉛筆削りに関するものである。
【背景技術】
【０００２】
電動鉛筆削りは、遊星状に回転するための回転機構を有する回転切削刃と、駆動源である電源や電動機と、削りくずを溜める削りくず収納部等から構成されている。削りくず収納部が開けられた際に駆動を止めるインターロック機構、鉛筆の挿入や削れ具合を感知するセンサー、芯先調整ユニット等を備えたものもある。
電池式の電動鉛筆削りにおいては、コンパクトな縦型のものもあり、上部より鉛筆を垂直に挿入することにより切削を行う。
【０００３】
このような縦型の電動鉛筆削りでは、切削部の横に削りくず収納部を設け、側面より削りくずを取り出すようにしたものが多くみられる（例えば、特許文献１）。
【先行技術文献】
【特許文献】
【０００４】
【特許文献１】実用新案公報  昭６４−６３２０
【考案の概要】
【考案が解決しようとする課題】
【０００５】
上述した特許文献１に開示されている縦型の電動鉛筆削りは、削りくずを収納するスペースが小さく、すぐに収納部がいっぱいになり、頻繁に削りくずを取り出す必要があった。削りくずを収納するスペースを大きくすることは可能であるが、全体が大きくなってしまうと同時に、電動鉛筆削りの横方向の形状がアンバランスとなり、削りにくくなってしまうという別の問題が生じる。
また、削りくずを取り出す際に、削りくずがこぼれやすく、周囲を汚してしまうといった問題もあった。
さらに、削りくず収納部の一部は、切削部を壁面として使用しているため、削りくずを収納するスペースを分離することができず、本体全体を持って削りくずを捨てる必要があった。
【０００６】
また、削りくず収納部を開けると、切削部が剥き出しの状態になるため、インターロック機構が必要である。すなわち、削りくず収納部の開閉状態をセンサーで検知し、閉じている時にしか、切削部が駆動しないようにする安全機構が必要である。このインターロック機構を確実に駆動させるためには、削りくず収納部の開閉が明確なものである必要がある。開閉動作が容易に行われるようなものであれば、インターロック機構が頻繁に働き、切削動作は正常に行われない。したがって、開閉はある程度の力を必要とするものである必要がある。一方、削りくず収納部を開く際に大きな力が必要だと、開く際に電動鉛筆削り全体に衝撃が加わり、その衝撃によって削りくずが飛び出し、外にこぼれてしまうことがあった。
【０００７】
本考案はこのような問題を解決するためになされたものであり、コンパクトな外形でありながら、削りくず収納部の容積を大きくして削りくずを取り出す頻度を減らすことが可能で、且つ、削りくずを取り出す際にこぼれにくい電動鉛筆削りを提供するものである。
【課題を解決するための手段】
【０００８】
本考案の請求項１に係る電動鉛筆削りは、上面部に鉛筆を挿入する挿入孔を有し、上記挿入孔に略鉛直方向に鉛筆を挿入する電池式の電動鉛筆削りであって、前記上面部の下方に固定された駆動部と、前記上面部の下方に固定され、前記駆動部により駆動される切削部と、前記上面部の下方に着脱可能に固定されたカップ状の削りくず収納部とを備え、前記上面部と削りくず収納部とは、回転スクリュー式、または回転マウント式の着脱可能な固定機構により固定されていることを特徴とする。
【０００９】
本考案の請求項２に係る電動鉛筆削りは、上面部に鉛筆を挿入する挿入孔を有し、上記挿入孔に略鉛直方向に鉛筆を挿入する電池式の電動鉛筆削りであって、前記上面部の下方に固定された駆動部と、前記上面部の下方に固定され、前記駆動部により駆動される切削部と、前記上面部の下方に着脱可能に固定されたカップ状の削りくず収納部とを備え、前記削りくず収納部は、前記駆動部および前記切削部の下方に削りくずを収納する空間を有し、前記削りくず収納部の底部周囲近傍内壁は、下方に行くにしたがって内側に閉じたスロープ形状を有していることを特徴とする。
【００１０】
本考案の請求項３に係る電動鉛筆削りは、前記駆動部および前記切削部の周囲全体に、削りくずを収納する空間をさらに有することを特徴とする。
【００１１】
本考案の請求項４に係る電動鉛筆削りは、外形が略円筒形状であることを特徴とする。
【００１２】
本考案の請求項５に係る電動鉛筆削りは、前記削りくず収納部が透明な材質で構成されていることを特徴とする。
【考案の効果】
【００１３】
本考案に係る電動鉛筆削りは、上記のように構成されているので、鉛筆削り本来の機能や使い易さを損なうことなく、削りくずを大容量に溜めることができ、また、削りかすを取り出す際にこぼれにくいという優れた特長を有している。
【００１４】
具体的には、削りくず収納部は駆動部や切削部の下方に削りくずを収納する空間を有しているので、鉛筆を切削する際にバランス良く鉛筆削りを片手で保持することが可能であり、同時に削りくずを大容量に溜めることができる。
また、削りくずが削りくず収納部の底面付近に溜まっているので、取り出す際に削りくずが外にこぼれにくい。
さらに、駆動部や切削部の横のスペースまで削りかすが溜まった場合においても、削りくず収納部を下方に取り外す際に、駆動部や切削部の横のスペースに溜まっていた削りかすは横方向に広がるので、削りくずの上面は下方に落ち込み、外にこぼれにくい。
【００１５】
また、上面部と削りくず収納部とは、回転スクリュー式、または回転マウント式の着脱可能な固定機構により固定されているので、力をいれて固定を緩める際には上面部と削りくず収納部とは接した状態になっており、削りくずが跳ねて外にこぼれることがない。
【００１６】
さらに、回転スクリュー式や回転マウント式の着脱可能な固定機構の場合、回転ストロークを大きく取れるため、開閉に関して誤検出無く、明確に着脱が判定できるので、インターロック機構を適切に機能させることが可能である。
【００１７】
また、削りくず収納部の底部周囲近傍内壁は、下方に行くにしたがって内側に閉じたスロープ形状を有しているので、切削部から生じる削りくずをスロープに沿って下方の空間に確実に落とすことができる。
【００１８】
駆動部および切削部の周囲全体に、削りくずを収納する空間をさらに有することで、削りくず収納部をより大容量にすることができる。
【００１９】
また、電動鉛筆削りの外形を略円筒形状とすることで、上面部と削りくず収納部とを固定するための回転スクリュー式、または回転マウント式の着脱可能な固定機構を容易に実現することができる。
さらに、切削時に片手で保持しやすい形状であり、また、左右のバランスも良く、安定に切削動作が行える。
【００２０】
また、外形をコンパクトに設計しやすく、デザイン的にもスッキリとした機能的な形状となる。特に、削りくず収納部を透明にすれば、駆動部や切削部の表面と、削りくず収納部の表面に、関連したデザインを施すことで、３次元的なデザインを得ることができる。
【図面の簡単な説明】
【００２１】
【図１】本考案に係る電動鉛筆削の（ａ）上面図と（ｂ）側面図である。
【図２】本考案に係る電動鉛筆削の斜視図である。
【図３】本考案に係る電動鉛筆削の内部構造を説明するためのである。
【図４】本考案に係る電動鉛筆削の削りくず収納部を外した際の図である。
【考案を実施するための形態】
【００２２】
実施の形態．
本考案に係る電動鉛筆削の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００２３】
＜構成＞
まず、電動鉛筆削のの外形を図１と図２に示す、
図１は、電動鉛筆削の（ａ）上面図と（ｂ）側面図であり、図２は斜視図である。
電動鉛筆削は全体として円筒状の外形であり、上面部１に略鉛直方向に鉛筆を挿入する挿入孔１ａを有している。そして、上面部１の下方に着脱可能に固定されたカップ状の削りくず収納部２が設けられている。削りくず収納部２は、削りくずが溜まった状態を外部から視認できるように透明な材質で作られていることが望ましい。
【００２４】
次に、図３を用いて、内部機構について説明する。
上面部１は支持部１ｂを有し、この支持部１ｂ等ににより、駆動部３や切削部４は、結果として上面部１の下方に固定されている。、
【００２５】
駆動部３は、電源である電池や電池により駆動されるモーター等である電動機を有している。上面部１は支持部１ｂと分離することができ、それにより、電池を取り替えることができる。あるいは、上面部１に電池を交換するための蓋を別途設けても良い。
【００２６】
切削部４は電動機により駆動され、挿入孔１ａより挿入された鉛筆を切削する。本考案の動作とは直接関係無いため、且つ、図が煩雑になるのを避けるため、切削部４の詳細については記載を省略しているが、回転切削刃と、回転切削刃を遊星状に回転するためのギア機構等を備えている。また、鉛筆の挿入や削れ具合を感知するセンサー、芯先調整ユニット等を備えていても良い。
【００２７】
上面部１は周状に凸部等の固定部１ｃを有し、削りくず収納部２はそれに対応した形状の固定部２ａを有している。これらの固定部１ｃおよび２ａにより、上面部１と削りくず収納部２とは、着脱可能に固定される。固定部１ｃおよび２ａによる固定機構としては、回転スクリュー式、または回転マウント式の着脱可能な固定機構が望ましい。
また、図示していないが、固定部１ｃおよび２ａによる固定状態を検知するセンサーと、このセンサーの信号に基づいて、切削部の駆動を中止する機構が設けられている。すなわち、固定部１ｃおよび２ａによる固定状態が解除された際には、切削部の駆動を中止するインターロック機構が設けられている。
【００２８】
固定部１ｃおよび２ａによる固定状態を検知するセンサーとしては、電気接点、光センサー、圧電センサー等、どのようなセンサーを用いる方式でも良い。これらのセンサーを用い、例えば、上面部１と削りくず収納部２とが、完全に閉じた状態から相対的に１０°以上回転した際に、開いた状態と判断し、切削部の駆動を中止するための信号を出力するようにすれば、安定した適切なインターロック動作を実現できる。
【００２９】
削りくず収納部２は、駆動部３および切削部４の下方にも削りくずを溜めるための下方空間５を有している。また、駆動部３および切削部４の周囲にも削りくずを溜めるための空間を有している。
【００３０】
また、削りくず収納部２の底部周囲近傍内壁は、下方に行くにしたがって内側に閉じたスロープ形状を持つスロープ２ｂを有している。
【００３１】
＜動作および使用方法＞
次に、電動鉛筆削りの動作と使用方法について説明する。
挿入孔１ａから鉛筆を挿入しすることで、切削部４が駆動し、鉛筆が切削される。この際、削りくずは、図３において、切削部４の左側から削りくず収納部２に排出される。排出された削りくずはスロープ２ｂに落ちる。さらに、切削を続けると、切削部４の左側から削りくず収納部２に排出された削りくずは、スロープ２ｂ付近にある削りくずを押し、押された削りくずは、スロープ２ｂに沿って下方空間５に移動する。このようにして、削りくずは下方空間５に溜まっていく。
【００３２】
削りくずが下方空間５を満たすと、駆動部３および切削部４の周囲にも削りくずが溜まり始める。この辺りまで削りくずが溜まると、削りくずが一杯になったと判断し、削りくずを廃棄する。
【００３３】
削りくずを廃棄するには、削りくず収納部２を左手で持ち、右手で上面部１を回転させる。最初はしっかりと締まった状態であるので、回転始動時は大きな力が必要である。したがって、電動鉛筆削り全体が大きな衝撃が与えられ、内部の削りくずは跳ねるが、その時点では、上面部１と削りくず収納部２とは接した状態にあるので、削りくずが外部にこぼれることはない。
【００３４】
回転始動時に大きな力によって緩められた後は、軽く回転動作を行うことができるので、電動鉛筆削り全体に衝撃を与えることなく、図４に示すように、上面部１に対して、削りくず収納部２を下方に離脱することができる。この際に、駆動部３および切削部４の周囲に溜まった削りくずは、離脱に伴い、駆動部３および切削部４があったスペースにも広がるため、削りくずの最上面は下方に落ち込む。したがって、上面部１から削りくず収納部２が離脱する際に、削りくずが外部にこぼれにくい。
【００３５】
削りくず収納部２に溜まった削りくずを廃棄した後は、削りくず収納部２を上面部１に逆の動作で固定してやればよい。
以上の動作で、削りくずの廃棄は完了する。
【００３６】
なお、上記の動作中、回転始動時の回転によって、上面部１と削りくず収納部２とが開いたと判断するように、インターロックのセンサーを設定しておけば、切削部動作中に指を内部に入れる心配は無く、安全性が確実に確保される。
【００３７】
＜本考案の特長＞
本考案に係る電動鉛筆削りは、上記のように構成されているので、鉛筆削り本来の機能や使い易さを損なうことなく、削りくずを大容量に溜めることができ、また、削りかすを取り出す際にこぼれにくいという優れた特長を有している。
【００３８】
具体的には、削りくず収納部は駆動部や切削部の下方に削りくずを収納する空間を有しているので、鉛筆を切削する際にバランス良く鉛筆削りを片手で保持することが可能であり、同時に削りくずを大容量に溜めることができる。
また、削りくずが削りくず収納部の底面付近に溜まっているので、取り出す際に削りくずが外にこぼれにくい。
さらに、駆動部や切削部の横のスペースまで削りかすが溜まった場合においても、削りくず収納部を下方に取り外す際に、駆動部や切削部の横のスペースに溜まっていた削りかすは横方向に広がるので、削りくずの上面は下方に落ち込み、外にこぼれにくい。
【００３９】
また、上面部と削りくず収納部とは、回転スクリュー式、または回転マウント式の着脱可能な固定機構により固定されているので、力をいれて固定を緩める際には上面部と削りくず収納部とは接した状態になっており、削りくずが跳ねて外にこぼれることがない。
【００４０】
さらに、回転スクリュー式や回転マウント式の着脱可能な固定機構の場合、回転ストロークを大きく取れるため、開閉に関して誤検出無く、明確に着脱が判定できるので、インターロック機構を適切に機能させることが可能である。
【００４１】
また、削りくず収納部の底部周囲近傍内壁は、下方に行くにしたがって内側に閉じたスロープ形状を有しているので、切削部から生じる削りくずをスロープに沿って下方の空間に確実に落とすことができる。
【００４２】
駆動部および切削部の周囲全体に、削りくずを収納する空間をさらに有することで、削りくず収納部をより大容量にすることができる。
【００４３】
また、電動鉛筆削りの外形を略円筒形状とすることで、上面部と削りくず収納部とを固定するための回転スクリュー式、または回転マウント式の着脱可能な固定機構を容易に実現することができる。
さらに、切削時に片手で保持しやすい形状であり、また、左右のバランスも良く、安定に切削動作が行える。
【００４４】
また、外形をコンパクトに設計しやすく、デザイン的にもスッキリとした機能的な形状となる。特に、削りくず収納部を透明にすれば、駆動部や切削部の表面と、削りくず収納部の表面に、関連したデザインを施すことで、３次元的なデザインを得ることができる。
【符号の説明】
【００４５】
１  上面部
１ａ  挿入孔    １ｂ  支持部    １ｃ  固定部
２  削りくず収納部
２ａ  固定部    ２ｂ  スロープ
３  駆動部（電源+電動機）
４  切削部
５  下部空間
【図１】
0003199162.tif 000003
【図２】
0003199162.tif 000004
【図３】
0003199162.tif 000005
【図４】
0003199162.tif 000006